(57)【要約】【課題】照射方向の変更を行う照明器具を目視しながら手動操作に応じた照明器具の回動が行える操作装置および照明装置を提供する。【解決手段】操作装置１は、直線状に操作される操作スイッチ６を有して構成された第１の操作入力部２と、円状に操作される操作スイッチ６を有して構成された第２の操作入力部３と、第１および第２の操作入力部２，３でのそれぞれの操作スイッチ６に対する操作入力数および操作方向に応じて照明器具のチルト方向およびパン方向における照射角度を変化させる制御信号を出力する制御手段４，５とを具備している。【選択図】図１
2008269995.tif 000002
【特許請求の範囲】
【請求項１】
直線状に操作される操作スイッチを有して構成された第１の操作入力部と；
円状に操作される操作スイッチを有して構成された第２の操作入力部と；
第１の操作入力部での操作スイッチに対する操作入力数および操作方向に応じて照明器具のチルト方向における照射角度を変化させる制御信号を出力し、第２の操作入力部での操作スイッチに対する操作入力数および操作方向に応じて照明器具のパン方向における照射角度を変化させる制御信号を出力する制御手段と；
を具備していることを特徴とする操作装置。
【請求項２】
特定の照明器具を選択する選択スイッチと；
この選択スイッチにより選択された特定の照明器具を表示する表示部と；
を具備し、制御手段は、第１および第２の操作入力部での操作スイッチに対する操作入力数および操作方向に応じたそれぞれの制御信号を表示部に表示されている特定の照明器具に対して出力することを特徴とする請求項１に記載の操作装置。
【請求項３】
制御手段は、照明器具のチルト方向およびパン方向における基準角度からの最大照射角度をそれぞれ記憶しており、当該最大照射角度内で前記照射角度を変化させる制御信号をそれぞれ出力することを特徴とする請求項１または２に記載の操作装置。
【請求項４】
請求項１ないし３のいずれか一記載の操作装置と；
この操作装置の第１および第２の操作入力部での操作入力に応動してチルト方向およびパン方向に回動する照明器具と；
照明器具をチルト方向およびパン方向にそれぞれ回動させるモーターを備え、操作装置から出力された制御信号に応じて前記モーターを駆動させて照明器具を回動させる駆動装置と；
照明器具に配設された照明負荷と；
を具備していることを特徴とする照明装置。
【発明の詳細な説明】
【技術分野】
【０００１】
本発明は、照明器具の照射方向を自由自在に可変することのできる操作装置および照明装置に関する。
【背景技術】
【０００２】
スタジオや劇場等の照明装置では、照明光の照射方向を自動制御可能な複数の照明器具が天井等に設置され、各照明器具に指示を与える入力装置(操作装置)で各照明器具の照射方向の角度を入力し、各照明器具の照射方向を変更することが行われている。例えば、前記照射方向の角度の入力に対して、照明器具をパン方向あるいはチルト方向に回動させる操作スイッチを押圧操作することによって行っている(例えば特許文献１参照。)。また、ジョイステイックを首振り操作することによって行っている（例えば特許文献２参照。）
【０００３】
しかし、操作スイッチやジョイステイックの操作は、照明器具の照射方向の変更に対して非常に手間および時間を要するともに、照明器具の空間的な動きを確認し難いという問題がある。そこで、大きな手間や時間を要せずに、かつ照明器具の空間的な動作を視覚的に確認することのできる照明装置が提案されている(特許文献３参照。)。
【０００４】
この従来技術の照明装置は、座標軸表示部を備えており、座標軸表示部に表示された座標平面へ、例えばライトペンまたはマウスのような指示装置によって直接ポイントすると、そのポイントの座標よりチルトの角度が決定され、さらにパンの角度が決定され、これらに基づいて照明器具本体が駆動されるものである。したがって、パン、チルトの角度を入力するための時間が大幅に短縮され、また、入力設定が数値だけでなく座標軸表示部に表されることにより、入力設定範囲を視覚的に確認することができるというものである。
【特許文献１】特開平７−３１２２９６号公報（第８頁、第７図）
【特許文献２】特開平３−２９２９６号公報（第２−３頁、第１図）
【特許文献３】特開平４−１９６００６号公報（第２頁、第１図）
【発明の開示】
【発明が解決しようとする課題】
【０００５】
特許文献２の照明装置は、変更するパン、チルトの角度を座標軸表示部に表示された座標平面へ指示装置によって直接ポイントして行うので、パン、チルトの角度の設定に対して、照明器具の照射方向の変化を実際に目視しながら行えにくいものである。すなわち、パン、チルトの角度の設定を照明器具の照射方向を都度目視して行うものではないので、当該設定が目視による確認で所望の照射方向となるまで、座標平面でのポイント操作を繰り返すおそれがある。
【０００６】
本発明は、照射方向の変更を行う照明器具を目視しながら手動操作に応じた照明器具の回動が行える操作装置および照明装置を提供することを目的とする。
【課題を解決するための手段】
【０００７】
請求項１に記載の操作装置は、直線状に操作される操作スイッチを有して構成された第１の操作入力部と；円状に操作される操作スイッチを有して構成された第２の操作入力部と；第１の操作入力部での操作スイッチに対する操作入力数および操作方向に応じて照明器具のチルト方向における照射角度を変化させる制御信号を出力し、第２の操作入力部での操作スイッチに対する操作入力数および操作方向に応じて照明器具のパン方向における照射角度を変化させる制御信号を出力する制御手段と；を具備していることを特徴とする。
【０００８】
本発明および以下の各発明において、特に言及しない限り、各構成は以下による。
【０００９】
操作スイッチは、静電容量方式のスイッチが好適であるが、抵抗式や光式等各種の方式のスイッチを許容する。また、指などにより操作面に触れるタッチ操作が必要なスイッチの他、指などを近接することで静電容量等を変化させるスイッチも包含する。操作スイッチの数量は、１個であっても複数個であってもよい。操作スイッチの下側などには、ＬＣＤなどの表示部を設けてもよい。
【００１０】
「円状」には、長軸と短軸との長さの差が小さく比較的に円に近い楕円状が包含される。
【００１１】
「操作入力数」とは、例えばオンされた操作スイッチの数量である。ここで、操作スイッチは、オンが連続していることが好ましいが、不連続になっていてもよい。また、「操作方向」とは、複数の操作スイッチにおける順に操作入力された方向を示す。
【００１２】
「チルト方向」とは、照明器具の光軸方向と交差する方向を示し、「パン方向」とは、照明器具の光軸回りの方向を示す。照明器具の鉛直方向と光軸が一致するように照明器具が配設されている場合、照明器具は、第１の操作入力部での操作入力に応じてチルト方向である上下方向に回動され、第２の操作入力部での操作入力に応じてパン方向である右回り左回りに回動される。上下方向および右回り左回りは、複数の操作スイッチの操作方向によって決定される。
【００１３】
制御信号の出力は、有線または無線のいずれによってもよい。
【００１４】
本発明によれば、第１の操作入力部で操作スイッチが直線状に操作入力されることにより、照明器具がチルト方向に回動され、第２の操作入力部で操作スイッチが円状に操作入力されることにより、照明器具がパン方向に回動され、照明器具の照射方向が変更される。そして、それぞれの操作入力数および操作方向に応じて、チルト方向およびパン方向におけるそれぞれの回動量および回動方向が決定される。
【００１５】
請求項２に記載の操作装置は、請求項１に記載の操作装置において、特定の照明器具を選択する選択スイッチと；この選択スイッチにより選択された特定の照明器具を表示する表示部と；を具備し、制御手段は、第１および第２の操作入力部での操作スイッチに対する操作入力数および操作方向に応じたそれぞれの制御信号を表示部に表示されている特定の照明器具に対して出力することを特徴とする。
【００１６】
特定の照明器具は、１個であってもよく、グループであってもよい。
【００１７】
「制御信号を特定の照明器具に対して出力する」とは、照明器具をチルト方向およびパン方向に駆動させる駆動装置に出力することを意味する。
【００１８】
本発明によれば、表示部に表示された特定の照明器具は、第１および第２の操作入力部での操作入力に応じて照射方向が変更される。
【００１９】
請求項３に記載の操作装置は、請求項１または２に記載の操作装置において、制御手段は、照明器具のチルト方向およびパン方向における基準角度からの最大照射角度をそれぞれ記憶しており、当該最大照射角度内で前記照射角度を変化させる制御信号をそれぞれ出力することを特徴とする。
【００２０】
本発明によれば、照明器具は、チルト方向およびパン方向において、それぞれの最大照射角度を超えて回動されなくなる。
【００２１】
請求項４に記載の照明装置は、請求項１ないし３のいずれか一記載の操作装置と；この操作装置の第１および第２の操作入力部での操作入力に応動してチルト方向およびパン方向に回動する照明器具と；照明器具をチルト方向およびパン方向にそれぞれ回動させるモーターを備え、操作装置から出力された制御信号に応じて前記モーターを駆動させて照明器具を回動させる駆動装置と；照明器具に配設された照明負荷と；を具備していることを特徴とする。
【００２２】
本発明によれば、照明器具の照射方向が請求項１ないし３のいずれか一記載の操作装置によって変更される照明装置が提供される。
【発明の効果】
【００２３】
請求項１の発明によれば、第１の操作入力部で操作スイッチが直線状に操作入力されることにより照明器具がチルト方向に回動され、第２の操作入力部で操作スイッチが円状に操作入力されることにより照明器具がパン方向に回動されるので、照明器具の回動が操作装置での手動操作に応じたものとなり、照明器具を目視しながら、容易に所望の照射方向に変更することができる。
【００２４】
請求項２の発明によれば、照射方向を変更する照明器具を表示部に表示させて第１および第２の操作入力部で操作入力することによって、照明器具を所望の照射方向へ容易に変更することができる。
請求項３の発明によれば、照明器具は、チルト方向およびパン方向においてそれぞれの最大照射角度を超えて回動されないように制御されるので、照明器具側に回動制限手段を設けなくすることができる。
【００２５】
請求項４の発明によれば、操作装置での手動操作に応じて回動する照明器具を目視しながら照明器具の照射方向を容易に変更できる照明装置を提供することができる。
【発明を実施するための最良の形態】
【００２６】
以下、本発明の一実施の形態について、図面を参照して説明する。まず、本発明の第１の実施形態について説明する。
【００２７】
図１は、本発明の第１の実施形態を示す操作装置であり、（ａ）は概略正面図、（ｂ）は概略ブロック図である。
【００２８】
操作装置１は、第１の操作入力部２、第２の操作入力部３および制御手段を構成する制御部４および出力部５を有して構成されている。そして、操作装置１は、略長方形状の器体に形成され、正面１ａに第１の操作入力部２の手動操作部２ａおよび第２の操作入力部３の手動操作部３ａがそれぞれ設けられ、器体の内部に回路部品などが収納されている。操作装置１は、手で持って、手動操作部２ａおよび手動操作部３ａで照明器具の回動操作ができる大きさに形成されている。
【００２９】
第１の操作入力部２は、操作スイッチとしての静電容量スイッチ６をプリント配線板７上に複数配設している。当該静電容量スイッチ６は、手動操作部２ａで直線状に配設され、不透明性の樹脂シート８で覆われている。静電容量スイッチ６は、樹脂シート８を介して例えば指が対向されると、静電容量が変化する。
【００３０】
そして、プリント配線板７にはチルト検出回路９が設けられ、静電容量スイッチ６の出力はチルト検出回路９に送出されている。チルト検出回路９は、静電容量スイッチ６における静電容量の変化に基づき、静電容量スイッチ６のオン・オフを検出し、この検出を信号線１０から制御部４に送出する。なお、複数の静電容量スイッチ６には、それぞれアドレスが付与されており、どの静電容量スイッチ６がオン・オフされたかが制御部４で判別されるようにしている。
【００３１】
第２の操作入力部３は、第１の操作入力部２と同様に、前記静電容量スイッチ６をプリント配線板１１上に配設している。静電容量スイッチ６は、手動操作部３ａで円状に配設され、不透明性の樹脂シート８で覆われている。そして、プリント配線板１１にはパン検出回路１２が設けられ、静電容量スイッチ６の出力はパン検出回路１２に送出されている。パン検出回路１２は、静電容量スイッチ６のオン・オフを検出し、この検出を信号線１３から制御部４に送出する。
【００３２】
制御部４は、演算などを行うＣＰＵ（中央処理装置）、プログラムが格納されているＲＯＭおよび各種データが格納されているＲＡＭを有して構成されている。そして、制御部４は、チルト検出回路９から送出された静電容量スイッチ６のオン・オフ検出結果に基づき、第１の操作入力部２での静電容量スイッチ６に対する操作入力数および操作方向を演算する。すなわち、第１の操作入力部２においてオン・オフされた静電容量スイッチ６の数量を求めるととともに、手動操作部２ａにおいて図１（ａ）中下側から上側に向かう順に静電容量スイッチ６がオン・オフされたか、逆に上側から下側に向かう順に静電容量スイッチ６がオン・オフされたかによって操作方向を求める。
【００３３】
そして、オン・オフされた静電容量スイッチ６の数量に応じて、照明器具を現在の位置からチルト方向に回動させる制御信号を出力する。例えば、手動操作部２ａにおいて矢印で示すように、下側から上側までの静電容量スイッチ６が指の直線状の移動操作によってオン・オフされると、照明器具は現在の位置から例えば１８°回動される。すなわち、１数量当たり例えば２°回動される。そして、操作方向が図１（ａ）中、下側から上側に向かう方向であると、例えば照明器具の光軸が鉛直方向であって照射方向が下側を向くように照明器具が配設されている場合、照明器具が下側から上側に回動され、操作方向が上側から下側に向かう方向であると、照明器具が上側から下側に回動される制御信号が出力される。出力された制御信号は、出力部５から照明器具側に出力される。照明器具がチルト方向に回動されることにより、照明器具のチルト方向における照射角度が変化する。
【００３４】
また、制御部４は、パン検出回路１２から送出された静電容量スイッチ６のオン・オフ検出結果に基づき、第２の操作入力部３での静電容量スイッチ６に対する操作入力数および操作方向を演算する。すなわち、第２の操作入力部３においてオン・オフされた静電容量スイッチ６の数量を求めるととともに、手動操作部３ａにおいて図１（ａ）中右回りの順に静電容量スイッチ６がオン・オフされたか、逆に左回りの順に静電容量スイッチ６がオン・オフされたかにより操作方向を求める。
【００３５】
そして、オン・オフされた静電容量スイッチ６の数量に応じて、照明器具を現在の位置からパン方向に回動させる制御信号を出力する。例えば、手動操作部３ａにおいて矢印で示すように、指を右回りまたは左回りに円状に３６０°移動操作して静電容量スイッチ６がオン・オフされると、照明器具は現在の位置から例えば６４°回動される。すなわち、１数量当たり例えば４°回動される。
【００３６】
また、操作方向が右回りの方向であると、照明器具が右回りに回動され、操作方向が左回りの方向であると、照明器具が左回りに回動される制御信号が出力される。出力された制御信号は、出力部５から照明器具側に出力される。照明器具がパン方向に回動されることにより、照明器具のパン方向における照射角度が変化する。
【００３７】
また、制御部４は、照明器具のチルト方向およびパン方向における基準角度からの最大照射角度をそれぞれ例えばＲＡＭに記憶している。チルト方向における基準角度および最大照射角度は、例えばそれぞれ０°、９０°であり、パン方向における基準角度および最大照射角度は、例えばそれぞれ０°、５４０°である。
【００３８】
手動操作部２ａで例えば下側から上側へ何回も指を直線状に移動操作させて静電容量スイッチ６をオン・オフすると、制御部４は、それに応じて照明器具をチルト方向に回動させるように制御する。しかし、照明器具のチルト方向の照射角度が最大照射角度になると判断すると、手動操作部２ａで上記移動操作がさらに行われても制御信号を出力しない。
【００３９】
また、手動操作部３ａで例えば右回りに何回転も指を円状に移動操作させて静電容量スイッチ６をオン・オフすると、制御部４は、それに応じて照明器具をパン方向に回動させるように制御する。しかし、照明器具のパン方向の照射角度が最大照射角度になると判断すると、手動操作部３ａで上記移動操作がさらに行われても制御信号を出力しない。
【００４０】
このように、制御部４は、それぞれ最大照射角度内でチルト方向およびパン方向の照射角度を変化させる制御信号を出力するように構成されている。これにより、照明器具の回動範囲が制限されるので、電線等の捩れなどを防止することができるとともに、照明器具側に回動制限手段などを設けることを要しなくすることができる。
【００４１】
出力部５は、制御部４から送出された制御信号を例えばＤＭＸ信号にデータ変換して伝送線１４に出力するように構成されている。なお、第１および第２の操作入力部２，３、制御部４および出力部５などは、直流電源１５から直流電圧が供給されて動作する。
【００４２】
上述したように、手動操作部２ａにおいて、例えば指を図１（ａ）中上下方向に直線状に移動操作することにより、静電容量スイッチ６がオン・オフされ、その操作入力数および操作方向に応じて照明器具がチルト方向である例えば上下方向に回動される。また、手動操作部３ａにおいて、例えば指を図１（ａ）中右回りまたは左まわりに円状に移動操作することにより、静電容量スイッチ６がオン・オフされ、その操作入力数および操作方向に応じて照明器具がパン方向である右回りまたは左回りの方向に回動される。すなわち、照明器具のチルト方向およびパン方向における回動が手動操作部２ａおよび手動操作部３ａでの手動操作に応じたものとなっている。したがって、照明器具の回動状態を目視しながら、手動操作部２ａおよび手動操作部３ａでそれぞれの手動操作を行うことにより、照明器具を所望の照射方向に容易に変更することができる。
【００４３】
なお、操作装置１は、第１および第２の操作入力部２，３に他に、照明器具の調光レベルを変化させるための操作入力部１６、照明器具の照射光の焦点を変化させるための操作入力部１７を備えている。それぞれの手動操作部１６ａ，１７ａで直線状に移動操作を行うことにより、照明器具の調光レベル、照射光の焦点が自由自在に変化される。
【００４４】
次に、本発明の第２の実施形態について説明する。
【００４５】
図２は、本発明の第２の実施形態を示す操作装置であり、（ａ）は概略正面図、（ｂ）は概略ブロック図である。なお、図１と同一部分には同一符号を付して説明は省略する。
【００４６】
図２に示す操作装置１８は、図１に示す操作装置１において、正面１ａにさらに選択スイッチ１９，２０および表示部２１の表示画面２１ａが設けられたものである。
【００４７】
選択スイッチ１９，２０は、回動させる特定の照明器具を選択するものである。選択される照明器具は、そのアドレスが順に並んで制御部４の例えばＲＡＭに記憶されているとともに、表示画面２１ａに表示される。選択スイッチ１９は、押圧することにより、表示画面２１ａに表示されている照明器具よりも前段側の照明器具を選択するものであり、選択スイッチ２０は、同様に後段側の照明器具を選択するものである。そして、同時に回動される照明器具が複数あるときは、代表の照明器具が選択される。
【００４８】
表示部２１は、選択スイッチ１９，２０により選択された照明器具のアドレスを表示画面２１ａに表示させるように構成されている。そして、制御部４は、表示画面２１ａに表示された照明器具に対して、第１および第２の操作入力部２，３での静電容量スイッチ６に対する操作入力数および操作方向に応じてチルト方向およびパン方向におけるそれぞれの照射角度を変化させる制御信号を出力部５から伝送線１４に出力させるものである。
【００４９】
照射方向を変更する照明器具を表示画面２１ａに表示させて、手動操作部２ａで直線状の手動操作を行い、手動操作部３ａで円状の手動操作を行うことにより、当該照明器具を所望の照射方向へ容易に変更することができる。
【００５０】
次に、本発明の第３の実施形態について説明する。
【００５１】
図３は、本発明の第３の実施形態を示す照明装置の概略ブロック図である。なお、図２と同一部分には同一符号を付して説明は省略する。
【００５２】
図３に示す照明装置２２は、図２に示す操作装置１８、照明器具２３、駆動装置２４および照明負荷２５を有して構成されている。操作装置１８は、伝送線１４により、調光盤２６内に配設された調光装置２７に接続されている。そして、調光装置２７、伝送線２８を介して駆動装置２４に接続されている。操作装置１８から出力された制御信号は、調光装置２７を介して駆動装置２４に伝送される。また、調光装置２７は、操作装置１８の手動操作部１６ａでの手動操作に応じて照明負荷２５を調光させる調光信号を出力し、手動操作部１７ａでの手動操作に応じて照明器具２３から出射される照射光の焦点を変化させる制御信号を出力するものである。
【００５３】
照明器具２３は、手動操作部２ａおよび手動操作部３ａでの手動操作により操作装置１８から出力された制御信号に応じてチルト方向およびパン方向に回動するものである。すなわち、操作装置１８の第１および第２の操作入力部２，３での操作入力、すなわち操作入力数および操作方向に応動してチルト方向およびパン方向に回動する。
【００５４】
駆動装置２４は、照明器具２３に一体に設けられ、照明器具２３をチルト方向およびパン方向にそれぞれ回動させるモーター２９を備えている。そして、操作装置１８から出力された制御信号に応じてモーター２９を駆動させて、照明器具２３をチルト方向およびパン方向に回動させるように構成されている。
【００５５】
照明負荷２５は、例えば電球からなり、照明器具２３内に配設されている。そして、照明器具２３と一体に照明器具２３のチルト方向およびパン方向に回動する。
【００５６】
照明装置２２は、操作装置１８での手動操作に応じて回動する照明器具２３を目視しながら当該手動操作を行えるので、照明器具２３の照射方向を所望の照射方向に容易に変更することができる。
【図面の簡単な説明】
【００５７】
【図１】本発明の第１の実施形態を示す操作装置であり、（ａ）は概略正面図、（ｂ）は概略ブロック図。
【図２】本発明の第２の実施形態を示す操作装置であり、（ａ）は概略正面図、（ｂ）は概略ブロック図。
【図３】本発明の第３の実施形態を示す照明装置の概略ブロック図。
【符号の説明】
【００５８】
１，１８…操作装置
２…第１の操作入力部
３…第２の操作入力部
４…制御手段を構成する制御部
５…制御手段を構成する出力部
１９，２０…選択スイッチ
２１…表示部
２３…照明器具
２４…駆動装置
２５…照明負荷
【図１】
2008269995.tif 000003
【図２】
2008269995.tif 000004
【図３】
2008269995.tif 000005